(57)【要約】【課題】本発明はガス遮断装置の電池消耗を削減すること。【解決手段】報知手段６の電源のみ非接触電源受信部７から供給し、その他の電源を一次電池２から供給することで、一次電池２の電池消耗を削減し、かつ一次電池２により確実に保安機能を動作させる。【選択図】図１
2005274195.tif 000002
【特許請求の範囲】
【請求項１】
電源と、非接触で電源を供給する非接触電源送信部を有する電源供給装置と、非接触供給された電源を受け取る非接触電源受信部と、一次電池と、弁と、流量入力部と、制御部と、報知手段を有し、前記非接触電源受信部により前記報知手段に電源を供給し、他を前記一次電池により電源を供給するガス遮断装置。
【請求項２】
電源と、非接触で電源を供給する非接触電源送信部を有する電源供給装置と、非接触供給された電源を受け取る非接触電源受信部と、一次電池と、弁と、流量入力部と、制御部と、通信手段を有し、前記非接触電源受信部により前記通信手段に電源を供給し、他を前記一次電池により電源を供給するガス遮断装置。
【請求項３】
非接触電源受信部から二次電池に電源を供給し、前記二次電池により報知手段に電源を供給する請求項１記載のガス遮断装置。
【請求項４】
非接触電源受信部から二次電池に電源を供給し、前記二次電池により通信手段に電源を供給する請求項２記載のガス遮断装置。
【請求項５】
非接触電源受信部からコンデンサに電源を供給し、前記コンデンサにより報知手段に電源を供給する請求項１記載のガス遮断装置。
【請求項６】
非接触電源受信部からコンデンサに電源を供給し、前記コンデンサにより通信手段に電源を供給する請求項２記載のガス遮断装置。
【発明の詳細な説明】
【技術分野】
【０００１】
本発明は、ガス遮断装置に関して特に電源に関するものである。
【背景技術】
【０００２】
従来のこの種のガス遮断装置で外部から電源を用いるものは、特開２００２−１６８６７３号公報に示すようなものが一般的であった。この装置は図４に示されているようにガス遮断装置を太陽電池２１もしくは２次電池２２を利用して、電源として供給するように構成されていた。
【特許文献１】特開２００２−１６８６７３号公報
【発明の開示】
【発明が解決しようとする課題】
【０００３】
しかしながら従来のガス遮断装置は、長期間メンテナンスを行わない保安装置の仕様となっているため、ガス遮断装置全体の電源を太陽電池２１および２次電池２２とする場合、設置条件および電池の長期耐久性能など未知の部分が多く、それらの想定できる障害を考慮して設計するとコストが削減できないという課題を有していた。また、ガス遮断装置は想定以上の報知手段による電池消耗が起こると、使用期間を満足できず機能停止しまうという課題を有していた。さらに、太陽電池等の外部からのエネルギーを供給する手段を用いると、野外やまたは、光を当てる手段を用いなければならなかった。
【課題を解決するための手段】
【０００４】
本発明は上記課題を解決するために、ガス遮断装置の保安部分となる電源は従来通り一次電池を用いて、報知手段などの電源を非接触外部電源による駆動や２次電池として、ガス遮断装置の省エネルギー化および開発コストの削減を行う。
【０００５】
上記発明によれば、報知手段での一次電池の消耗が削減するため、一次電池の容量を小さくすることができ、想定以上の報知手段による使用期間の短縮が削減される。また、保安機能の設計には一次電池を電源に用いるため、確実に保安機能を動作させて開発コストの削減をすることが可能となる。さらに、商用電源を用いて電源を供給することが可能となるので、設置場所等の制限が軽減される。
【発明の効果】
【０００６】
以上のように本発明のガス遮断装置によれば、非接触で電源を供給するための非接触電源受信部と一次電池を併用することで一次電池の消耗を削減し、かつ、一次電池により保安機能の電源を供給することで、確実に保安機能を動作させる設計でき開発コストの削減することが可能となる効果がある。
【発明を実施するための最良の形態】
【０００７】
第１の発明は、電源と、非接触で電源を供給する非接触電源送信部を有する電源供給装置と、非接触供給された電源を受け取る非接触電源受信部と、一次電池と、弁と、流量入力部と、制御部と、報知手段を有し、前記非接触電源受信部により前記報知手段に電源を供給し、他を一次電池により電源を供給するガス遮断装置であり、前記報知手段の電源を前記一次電池が供給しなくなったことより前記一次電池の電池消耗が削減される。
【０００８】
第２の発明は、電源と、非接触で電源を供給する非接触電源送信部を有する電源供給装置と、非接触供給された電源を受け取る非接触電源受信部と、一次電池と、弁と、流量入力部と、制御部と、通信手段を有し、前記非接触電源受信部により前記通信手段に電源を供給し、他を前記一次電池により電源を供給するガス遮断装置であり、前記通信手段の電源を前記一次電池が供給しなくなったことより前記一次電池の電池消耗が削減される。
【０００９】
第３の発明は、第１の発明において、非接触電源受信部から二次電池に電源を供給し、前記二次電池により報知手段に電源を供給するガス遮断装置であり、非接触外部電源による電源を二次電池により充電することにより、非接触外部電源にて電源を供給できない場合にも報知手段および通信手段の電源を供給することができる。
【００１０】
第４の発明は、第２の発明において、非接触電源受信部から二次電池に電源を供給し、前記二次電池により通信手段に電源を供給するガス遮断装置であり、非接触外部電源による電源を二次電池により充電することにより、非接触外部電源にて電源を供給できない場合にも報知手段および通信手段の電源を供給することができる。
【００１１】
第５の発明は、第１の発明において、非接触電源受信部からコンデンサに電源を供給し、前記コンデンサにより報知手段に電源を供給するガス遮断装置であり、非接触外部電源による電源をコンデンサにより充電することにより、非接触外部電源にて電源を供給できない場合にも報知手段および通信手段の電源を供給することができる。
【００１２】
第６の発明は、第２の発明において、非接触電源受信部からコンデンサに電源を供給し、前記コンデンサにより通信手段に電源を供給するガス遮断装置であり、非接触外部電源による電源をコンデンサにより充電することにより、非接触外部電源にて電源を供給できない場合にも報知手段および通信手段の電源を供給することができる。
【００１３】
以下、本発明の実施例について図面を用いて説明する。なお、本実施の形態によって本発明が限定されるものではない。
【００１４】
（実施の形態１）
図１は本発明の実施の形態１のガス遮断装置０と電源供給装置１のブロック図である。
【００１５】
図１について説明する。一次電池２が流量入力部３、制御部４、弁５に電源を供給する。流量入力部３より流量を検知して制御部４に流量信号Ｎ１を出力する。制御部４が流量信号Ｎ１を受け取ると流量が任意に設定した流量かを判定し、設定した流量を超えていれば弁５に弁閉出力信号Ｎ２を出力する。弁５が弁閉出力信号Ｎ２を受け取ると弁を閉じる。制御部４は弁５に信号を出力するとともに報知手段６に報知信号Ｎ３を出力する。報知手段６は、非接触電源受信部７から電源を供給されていれば報知信号Ｎ３を受け取ると報知する。電源供給装置１の非接触電源送信部８は、電源９から電源供給Ｎ５を受けて非接触電源受信部７に向けて交流磁場Ｎ４を発生させる。非接触電源受信部７は、電源供給装置の非接触電源送信部８から交流電磁場Ｎ４により電力を受信し、交流磁場Ｎ４から発生した交流を整流して直流電源として報知手段６への電源供給を行う。なお、非接触電源受信部７と非接触電源送信部８の電力の送受信はマイクロ波等を用いたエネルギー送電手法を用いてもかまわない。
【００１６】
上記実施の形態により、報知手段の電源の供給のみを外部電源から行うことで、流量判定などの保安機能のみの電池消費となり一次電池の消耗を削減し、かつ一次電池を保安機能に用いることで確実に保安機能を動作させることが可能である。また、報知手段は、本来は内部に持たせる電池の容量のみを基準に設計されていたが、非接触外部電源より電源供給することで一次電池の容量以上の電力供給も可能となり、報知能力を向上させることができる。
【００１７】
（実施の形態２）
図２は本発明の実施の形態２のガス遮断装置０と電源供給装置１のブロック図である。
【００１８】
図２について説明する。一次電池２が流量入力部３、制御部４、弁５に電源を供給する。流量入力部３より流量を検知して制御部４に流量信号Ｎ１を出力する。制御部４が流量信号Ｎ１を受け取ると流量が任意に設定した流量かを判定し、設定した流量を超えていれば弁５に弁閉出力信号Ｎ２を出力する。弁５が弁閉出力信号Ｎ２を受け取ると弁を閉じる。通信手段１１は、非接触電源受信部７から電源を供給されていれば外部より通信信号を受け取ると通信受信信号Ｎ６を制御部４に出力する。制御部４は、通信受信信号Ｎ６を受け取ると、受け取った信号に応答した通信送信信号Ｎ７を通信手段１１に出力する。通信送信信号Ｎ７を通信手段１１が受け取ると外部と通信を行う。電源供給装置１の非接触電源送信部９は、電源９から電源供給Ｎ５を受けて非接触電源受信部７に向けて交流磁場Ｎ４を発生させる。非接触電源受信部７は、電源供給装置の非接触電源送信部８から交流電磁場Ｎ４により電力を受信し、交流磁場Ｎ４から発生した交流を整流して直流電源として報知手段６への電源供給を行う。なお、非接触電源受信部７と非接触電源送信部８の電力の送受信はマイクロ波等を用いたエネルギー送電手法を用いてもかまわない。
【００１９】
上記実施の形態により、通信手段の電源の供給のみを非接触外部電源で行うことで、流量判定などの保安機能のみの電池消費となり一次電池の消耗を防ぎ、かつ一次電池を保安機能に用いることで確実に保安機能を動作させることが可能である。また、通信手段は、本来は内部に持たせる電池の容量のみを基準に設計されていたが、非接触外部電源より電源供給することで一次電池の容量以上の電力供給も可能となり、外部との通信手段に光通信および赤外線通信など、送信および受信に電力が必要な通信手法を用いることが可能となる。
【００２０】
（実施の形態３）
図３は本発明の実施の形態３のガス遮断装置０と電源供給装置１のブロック図である。
【００２１】
図３について説明する。一次電池２が流量入力部３、制御部４、弁５に電源を供給する。流量入力部３より流量を検知して制御部４に流量信号Ｎ１を出力する。制御部４が流量信号Ｎ１を受け取ると流量が任意に設定した流量かを判定し、設定した流量を超えていれば弁５に弁閉出力信号Ｎ２を出力する。弁５が弁閉出力信号Ｎ２を受け取ると弁を閉じる。制御部４は弁５に信号を出力するとともに報知手段６に報知信号Ｎ３を出力する。報知手段６は、二次電池１２から電源を供給されていれば報知信号Ｎ３を受け取ると報知する。二次電池１２は、非接触電源受信部７から電源を供給され充電される。非接触電源受信部７は、電源供給装置の非接触電源送信部８から交流電磁場Ｎ４により電力を受信し、交流磁場Ｎ４から発生した交流を整流して直流電源として二次電池１２への電源供給を行う。通信手段１１は、二次電池１２から電源を供給されていれば外部より通信信号を受け取ると通信受信信号Ｎ６を制御部４に出力する。制御部４は、通信受信信号Ｎ６を受け取ると、受け取った信号に応答した通信送信信号Ｎ７を通信手段１１に出力する。通信送信信号Ｎ７を通信手段１１が受け取ると外部と通信を行う。なお、二次電池１２をコンデンサに置き換えて電源と用いてもよい。なお、非接触外部電源６はマイクロ波等を用いたエネルギー送電手法を用いてもかまわない。
【００２２】
上記実施の形態により、通信手段および報知手段の電源の供給を非接触外部電源で充電する二次電池で行うことで、流量判定などの保安機能のみの電池消費となり一次電池の消耗を防ぎ、かつ一次電池を保安機能に用いることで確実に保安機能を動作させることが可能である。また、通信手段および報知手段は、本来は内部に持たせる電池の容量のみを基準に設計されていたが、非接触外部電源で充電する二次電池により電源供給することで一次電池の容量以上の電力供給も可能となり、報知手段は報知機能を向上させることができ、通信手段は送信および受信に電力が必要な通信手法を用いることが可能となる。また、非接触外部電源の電源を二次電池によって充電し、二次電池を介して電源を供給することで、報知手段および通信手段の電源の安定化が可能となり、さらに、自然光および人工的な光がない場合でも電源を供給することが可能となる。
【産業上の利用可能性】
【００２３】
以上のように、本発明にかかるガス遮断装置は、非接触で電源を供給するための非接触電源受信部と一次電池を併用することで一次電池の消耗を削減し、かつ、一次電池により保安機能の電源を供給することで、確実に保安機能を動作させる設計でき開発コストの削減することが可能となるので、保安機能の電源を最低限確保しなければならない保安装置での用途にも適用できる。
【図面の簡単な説明】
【００２４】
【図１】本発明の実施の形態１におけるガス遮断装置のブロック図
【図２】本発明の実施の形態２におけるガス遮断装置のブロック図
【図３】本発明の実施の形態３におけるガス遮断装置のブロック図
【図４】従来のガス遮断装置のブロック図
【符号の説明】
【００２５】
０  ガス遮断装置
１  電源供給装置
２  一次電池
３  流量入力部
４  制御部
５  弁
６  報知手段
７  非接触電源受信部
８  非接触電源送信部
９  電源
１１  通信手段
１２  二次電池
【図１】
2005274195.tif 000003
【図２】
2005274195.tif 000004
【図３】
2005274195.tif 000005
【図４】
2005274195.tif 000006